(57)【要約】    【課題】  光軸方向の厚みを抑え、高倍率・小型化に適用可能で外力に対して強固なカメラのレンズ鏡筒を提供することである。    【解決手段】  内側にレンズユニットが配置された移動カム環１１と、前記移動カム環１１の外側に配置された固定筒１２とを備え、前記移動カム環１１が前記固定筒１２に対して回転することにより前記レンズユニットを光軸方向に移動可能なレンズ鏡筒であって、前記固定筒１２にカム溝１２ｂ及び静圧リブ１２ａが設けられ、前記移動カム環１１に前記カム溝１２ｂに係合するカムピン１１ｂ及び前記静圧リブ１２ａに当接可能な静圧リブ１１ａが設けられ、前記カム溝１２ｂの撮影領域と前記静圧リブ１２ａは前記固定筒１２の円周方向に対し異なる位相に設けられている。【選択図】  図２
2006106463.tif 000002
【特許請求の範囲】
【請求項１】
内側にレンズ部材が配置された第１の筒状部材と、前記第１の筒状部材の外側に配置された第２の筒状部材とを備え、前記第１の筒状部材及び前記第２の筒状部材が光軸周りに相対的に回転することにより前記レンズ部材を光軸方向に移動可能なレンズ鏡筒であって、前記第１の筒状部材及び前記第２の筒状部材のいずれか一方の筒状部材にカム溝部及び第１の係合部が設けられ、他方の筒状部材に前記カム溝部に係合する第２の係合部及び前記第１の係合部に当接可能な第３の係合部が設けられ、前記カム溝部の撮影領域と前記第１の係合部は前記一方の筒状部材の円周方向に対し異なる位相に設けられていることを特徴とするレンズ鏡筒。
【請求項２】
前記カム溝部の撮影領域部と前記第１の係合部が光軸に垂直な略同一平面上の領域にあることを特徴とする請求項１に記載されたレンズ鏡筒。
【請求項３】
前記第３の係合部の円周方向の長さは、前記第１の係合部よりも長いことを特徴とする請求項１又は２に記載されたレンズ鏡筒。
【請求項４】
内側にレンズ部材が配置された第１の筒状部材と、前記第１の筒状部材の外側に配置された第２の筒状部材とを備え、前記第１の筒状部材及び前記第２の筒状部材が光軸周りに相対的に回転することにより前記レンズ部材を光軸方向に移動可能なレンズ鏡筒であって、前記第１の筒状部材及び前記第２の筒状部材のいずれか一方の筒状部材にカム溝部及び第１の係合部が設けられ、他方の筒状部材に前記カム溝部に係合する第２の係合部及び前記第１の係合部に当接可能な第３の係合部が設けられ、前記カム溝部の撮影領域部と前記第１の係合部が光軸に垂直な平面上の領域にあることを特徴とするレンズ鏡筒。
【請求項５】
内側にレンズ部材が配置された第１の筒状部材と、前記第１の筒状部材の外側に配置された第２の筒状部材とを備え、前記第１の筒状部材及び前記第２の筒状部材が光軸周りに相対的に回転することにより前記レンズ部材を光軸方向に移動可能なレンズ鏡筒であって、前記第１の筒状部材及び前記第２の筒状部材のいずれか一方の筒状部材にカム溝部及び第１の係合部が設けられ、他方の筒状部材に前記カム溝部に係合する第２の係合部及び前記第１の係合部に当接可能な第３の係合部が設けられ、前記第３の係合部の円周方向の長さは、前記第１の係合部よりも長いことを特徴とするレンズ鏡筒。
【請求項６】
前記第２の係合部は、カムピンであることを特徴とする請求項１から５のいずれか１項に記載のレンズ鏡筒。
【請求項７】
前記第１、第３の係合部は、突出部材であることを特徴とする請求項１から６のいずれか１項に記載のレンズ鏡筒
【請求項８】
請求項１から７のいずれか１項に記載されたレンズ鏡筒を備えることを特徴とするカメラ。
【発明の詳細な説明】
【技術分野】
【０００１】
本発明はカメラ等に備えられ撮影レンズを有するレンズ鏡筒及びこれを備えたカメラに関するものである。
【背景技術】
【０００２】
従来から銀塩フィルムを用いるフィルムカメラや撮像素子によって撮影することのできるデジタルカメラが知られており広く利用されている。近年はカメラの携帯性の向上等を目的に、カメラの小型化や焦点距離の変化率（ズーム倍率）を大きくするための内部機構の技術開発が行われており、様々な技術が提案されている。
【０００３】
カメラは一般的に備えられている撮影レンズの焦点距離が変更可能なズームカメラや一定の焦点距離に固定されている単焦点カメラがある。これらのカメラにおいてはカメラの非撮影時の小型化や撮影時の焦点距離を変更可能にするために、撮影レンズを繰り出し及び繰り込みすることが可能なレンズ鏡筒が備えられていることが一般的である。
【０００４】
カメラにはユーザーが持ち運んで利用する機器であるため、ユーザーが不意に落下させたり、荷重を加えたりした場合であっても、つまり外力がカメラに掛かった場合であっても正常な動作を保たねばならない。前述のレンズ鏡筒はカメラの電源ＯＮ時にはカメラ本体から飛び出ているのが一般的であり、このため外力の影響を受けやすい。特に近年の撮影レンズの高倍率化がなされているレンズ鏡筒では、その傾向が顕著である。
【０００５】
レンズ鏡筒が外力を受けて変形をしてしまうと撮影画像に影響を与えるだけでなく、最悪の場合にはカメラが使用不可能になってしまうことがある。そのため、レンズ鏡筒は外力に対して強固な構造である必要がある。
【０００６】
しかしながら、レンズ鏡筒を外力に対して強固な構造とすることは、レンズ鏡筒（カメラ）が大型化することになる。そこでレンズ鏡筒を大きくすることなしに、外力の影響を防ぐ構造が様々に提案されている。
【０００７】
本願出願人においても不用意な外力に対して鏡筒の破壊を防止する構造（特許文献１参照）を提案している。また、鏡筒に外力が掛かった時にカメラ制御を変更することでカメラの機能を損なうことがない技術（特許文献２参照）が提案されている。
【特許文献１】特開２００１−３３７２６０号公報（段落００４１、図１０）
【特許文献２】特開平７−４９４４６号公報（第１頁）
【発明の開示】
【発明が解決しようとする課題】
【０００８】
上記特許文献１においては、移動カム環に第１の突起部を設け、前記第１の突起部と当接可能な第２の突起部を固定筒に設けてある。しかしながら、光軸方向に対して鏡筒駆動用のカム溝と前記２つの突起部とが平行に並んでいるので、光軸方向に厚みが必要になる。その結果、レンズ鏡筒は外力に対して強固な構造となるが、カメラの厚みが厚くなってしまう（カメラが大きくなる）という課題があった。
【０００９】
また、上記特許文献２においては、鏡筒の外力を検知した後に、カメラの制御を変更する技術が開示されている。カメラはたとえ外力を受けても正常に自己復帰するため、撮影画像等に影響を与えることはない。しかしながら、レンズ鏡筒が移動している情報を元に外力を検知するため、カメラが焦点距離変更動作（ズーミング動作）を停止している時は有効でない。
【課題を解決するための手段】
【００１０】
本発明に係るレンズ鏡筒の特徴的な構成は、内側にレンズ部材が配置された第１の筒状部材と、前記第１の筒状部材の外側に配置された第２の筒状部材とを備え、前記第１の筒状部材及び前記第２の筒状部材が光軸周りに相対的に回転することにより前記レンズ部材を光軸方向に移動可能なレンズ鏡筒であって、前記第１の筒状部材及び前記第２の筒状部材のいずれか一方の筒状部材にカム溝部及び第１の係合部が設けられ、他方の筒状部材に前記カム溝部に係合する第２の係合部及び前記第１の係合部に当接可能な第３の係合部が設けられ、前記カム溝部の撮影領域と前記第１の係合部は前記一方の筒状部材の円周方向に対し異なる位相に設けられていることである。
【００１１】
また、別の本発明に係るレンズ鏡筒の特徴的な構成は、内側にレンズ部材が配置された第１の筒状部材と、前記第１の筒状部材の外側に配置された第２の筒状部材とを備え、前記第１の筒状部材及び前記第２の筒状部材が光軸周りに相対的に回転することにより前記レンズ部材を光軸方向に移動可能なレンズ鏡筒であって、前記第１の筒状部材及び前記第２の筒状部材のいずれか一方の筒状部材にカム溝部及び第１の係合部が設けられ、他方の筒状部材に前記カム溝部に係合する第２の係合部及び前記第１の係合部に当接可能な第３の係合部が設けられ、前記カム溝部の撮影領域部と前記第１の係合部が光軸に垂直な平面上の領域にあることである。
【００１２】
また、別の本発明に係るレンズ鏡筒の特徴的な構成は、内側にレンズ部材が配置された第１の筒状部材と、前記第１の筒状部材の外側に配置された第２の筒状部材とを備え、前記第１の筒状部材及び前記第２の筒状部材が光軸周りに相対的に回転することにより前記レンズ部材を光軸方向に移動可能なレンズ鏡筒であって、前記第１の筒状部材及び前記第２の筒状部材のいずれか一方の筒状部材にカム溝部及び第１の係合部が設けられ、他方の筒状部材に前記カム溝部に係合する第２の係合部及び前記第１の係合部に当接可能な第３の係合部が設けられ、前記第３の係合部の円周方向の長さは、前記第１の係合部よりも長いことである。
【発明の効果】
【００１３】
本発明によれば、第１の筒状部材及び第２の筒状部材のいずれか一方の筒状部材にカム溝部及び第１の係合部が設けられ、他方の筒状部材に前記カム溝部に係合するカムピン部及び前記第１の係合部に当接可能な第２の係合部が設けられ、前記カム溝部の撮影領域と前記第１の係合部は前記一方の筒状部材の円周方向に対し異なる位相に設けられているという構成によって、レンズ鏡筒の駆動を損なうことや特別なカメラの制御を必要とすることなく、外力に対して強固なレンズ鏡筒を提供することができる。
【００１４】
また、前記カム溝部の撮影領域部と前記第１の係合部が光軸に垂直な略同一平面上の領域にあるという構成によって、より高倍率に適用可能なレンズ鏡筒を提供することができる。また、一定の繰り出し量を持つ撮影レンズを備える場合には、公知技術に比較するとカメラの沈胴長を短くすることが可能となり、カメラの小型化を行うことが可能なレンズ鏡筒を提供することができる。
【００１５】
また、前記第１の係合部と前記第２の係合部の円周方向の長さは、第２の突出部が第１の突出部よりも長いという構成によって、カメラの電源ＯＮ時のいかなる場合であっても適用可能な構成を提供することが可能となる。
【発明を実施するための最良の形態】
【００１６】
以下、本発明の詳細について、実施例及び図面を用いて説明する。
【実施例】
【００１７】
図１は本発明の一実施例に係るカメラであり、１はカメラ本体である。このカメラ本体１の前面には撮影レンズの焦点距離が変更可能なレンズ鏡筒２が設けられている。また、カメラ本体１の前面には被写体に照明光を照射するストロボ装置を構成する発光窓部３が設けられ、さらに発光窓部３の左側にはファインダー窓４が設けられている。
【００１８】
さらに、カメラ本体１の上面には撮影準備動作（焦点調節動作および測光動作）及び撮影動作（フィルムやＣＣＤ等の撮像素子への露光）を開始させるためのレリーズボタン５が設けられている。なお、上記図１はカメラの代表的な模式図であり、本実施例は上記の構成に限定されるものではない。
【００１９】
図２にレンズ鏡筒２が繰り出した状態のレンズ鏡筒２の中央断面図を示す。６は第１群撮影レンズを備える１群レンズユニット、７はシャッターユニットと第２群撮影レンズを備える２群レンズユニット、８は第３群撮影レンズを備える３群ユニット、９は撮像素子を備えるベース部材である。
【００２０】
また、１０は１群レンズユニット６をレンズ鏡筒駆動時に直進規制するための直進筒、１１は内部に１群レンズユニット及び２群レンズユニットを駆動するためのカムを備えた移動カム環（第１の筒状部材に相当する）、１２は移動カム環１１を駆動するめのカムを備えた固定筒（第２の筒状部材に相当する）である。なお、レンズ鏡筒の構成及び駆動方法は従来から公知の技術であるため、詳しい説明は省略するが、本発明の特徴を満たす構成であれば上記の構成に限定されるものではない。
【００２１】
以下に本実施例の特徴的な技術について説明をする。
【００２２】
図３に移動カム環１１を示す。１１ａは外力がかかった場合に後述する固定筒１２と係合する静圧リブ（第３の係合部に相当する）であり、移動カム環１１の外周面の光軸方向奥側に設けられ、円周方向に沿って一定の長さのリブ形状に形成され、同一の構成のリブ形状が円周方向に沿って３箇所に設けられている。１１ｂは固定筒１２内部に備えられたカム溝に沿って移動カム環１１を駆動するためカム溝１１ｄと係合するカムピンであり、移動カム環１１の外周面に前記静圧リブ１１ａと円周方向略同一線上にそれぞれの静圧リブ１１ａと対応して３箇所に設けられている。１１ｃは不図示の鏡筒駆動モーターから連結された減速ギア列を介して移動カム環１１を回転させるための駆動ギアであり、移動カム環１１の外周面に光軸方向奥側端部に設けられている。移動カム環１１の内周面にはレンズユニットを駆動するためのカム溝１１ｄが設けられている。
【００２３】
図４に固定筒１２を示す。１２ａは移動カム環１１の静圧リブ１１ａと係合する静圧リブ（第１の係合部に相当する）であり、固定筒１２の内周面の光軸方向前側に設けられ、円周方向同一線上に沿って一定の長さのリブ形状に形成され、同一構成のリブ形状が円周方向同一線上に沿って３箇所に設けられている。１２ｂは移動カム環１１のカムピン１１ｂと係合して鏡筒を駆動するためのカム溝である。このカム溝１２ｂは、固定筒１２の内周面に移動カム環１１のカムピン１１ｂに対応して３箇所に設けられ、カムピン１１ｂを光軸方向に斜行させながら案内する部分と、光軸方向前側で円周方向に案内する部分（撮影領域部分）とを有する。カム溝１２ｂの撮影領域部分は、前記静圧リブ１２ａと円周方向に位相をずらして交互になって設けられる。このカム溝１２ｂの撮影領域部分は、静圧リブ１２ａと光軸方向に垂直な略同一平面上の領域に設けられている。
【００２４】
このカム溝１２ｂの撮影領域部分に移動カム環１１のカムピン１１ｂが案内されると、カムピン１１ｂとカム溝１２ｂはそれぞれ静圧リブ１１ａ、１２ａと円周方向略同一線上に設けられているため、図２Ｂに示すように、移動カム環１１の静圧リブ１１ａと固定筒１２の静圧リブ１２ａとが光軸方向に近接して当接可能に配置されるようになる。
【００２５】
カメラの電源がＯＮされてレンズ鏡筒２がカメラ本体から光軸方向前方に繰り出されると、移動カム環１１は固定筒１２内部に備えられた駆動カム１２ｂに沿って円周方向に回転しながら光軸方向に前進したのち、カム１２ｂの撮影領域部分で所定の焦点距離の位置（例えば図２）に停止する。このときに移動カム環１１に備えられた静圧リブ１１ａと固定筒１２に備えられた静圧リブ１２ａとの関係は、図２Ｂ部に示されるように、光軸方向に近接して配置されるようになる。
【００２６】
図２の状態のときに、鏡筒に対して何らかの外力Ｆ（例えばユーザーが不意にカメラをぶつけてしまった等）が図の方向（光軸方向に対して奥側）にかかると図２Ｂ部の構成によって移動カム環１１と固定筒１２の静圧リブ１１ａ、１２ａが当接し、その位置を保持する。つまりレンズ鏡筒は鏡筒に加えられる外力に対して強固な構造となる。
【００２７】
図５に本実施例の固定筒１２の展開図と公知技術の固定筒の展開図の比較図を示す。図５において（ａ）は本実施例の固定筒であり、（ｂ）は公知技術の固定筒である。
【００２８】
カメラを高倍率化するためには固定筒１２や移動カム環１１内部に備えられる駆動カム１２ｂ、１１ｄの光軸方向長さを長くし、レンズ鏡筒がより大きくレンズを駆動できる構成が必要である。図５（ａ）において固定筒１２内部に備えられる駆動カム１２ｂの駆動量Ｌを長くすると移動カム環１１の繰り出し量が大きくなり、高倍率に対応したレンズ鏡筒となる。その一方で、前述したように（図２Ｂの当接状態に示されるように）固定筒１２に備えられる静圧リブ１２ａは移動カム環１１に備えられる静圧リブ１１ａに近接していなければ、外力に耐えることができない。ゆえに、移動カム環１１の繰り出し量Ｌを大きくし且つ静圧リブ１１ａ、１２ａの機能を満たすためには、静圧リブ１２ａを可能な限り光軸方向前方に配置する必要がある。
【００２９】
図５（ｂ）に示される公知の技術では、カム溝１２ｂと静圧リブ１１２ａを光軸方向に重なるように並列に配置している。
【００３０】
対して図５（ａ）に示される本実施例では図中に示されるように静圧リブ１２ａと撮影領域の駆動カム１２ｂを光軸視の角度方向に対して位相をずらして配置する。すなわち、固定筒１２の円周方向に撮影領域の駆動カム１２ｂと静圧リブ１２ａとが交互に配置される。このような構成とすることによって、静圧リブ１２ａと駆動カム１２ｂが光軸方向に重ならないため、駆動カム１２ｂをより光軸方向前方に配置させることが可能となり、レンズ鏡筒の固定筒１２の駆動カム１２ｂの光軸方向の長さを図５（ｂ）に比べて（Ｃ２−Ｃ１）分長くすることが可能となる。
【００３１】
さらに本実施例では静圧リブ１２ａを固定筒１２の光軸方向（Ｏ：矢印方向被写体側）において、移動カム環１１を駆動するためのカム溝１２ｂと略同一平面に構成されているＣ１の領域に構成する。
【００３２】
このような構成とすることによって前述の静圧リブ１２ａを可能な限り光軸方向前方に配置することが可能となり、その結果、公知技術に比較してレンズ鏡筒の駆動量Ｌを大きくすることが可能となる。よって高倍率なレンズ鏡筒を提供することが可能となる。また、公知技術と同一の撮影レンズを前提として比較すると、本実施例では同一の沈胴長でレンズ鏡筒の繰り出し量を大きくすることが可能となるために、レンズ鏡筒の沈胴長を短くすることが可能となる。その結果、カメラの小型化を行うことが可能になる。
【００３３】
また、固定筒１２の静圧リブ１２ａとカム溝１２ｂが光軸方向に垂直な平面に設けられている構成によれば、さらに、移動カム環１１側の静圧リブ１１ａとカムピン１１ｂとを対応させて光軸方向に垂直な略平面に設けることが可能となり、移動カム環１１を光軸方向前方に繰り出したときの移動カム環１１と固定筒１２との重なりを少なくして、移動カム環１１を可能な限り光軸方向前方に配置することが可能となる。
【００３４】
ここで前述の本実施例の構成におけるレンズ鏡筒の移動カム環１１の静圧リブ１１ａと固定筒１２の静圧リブ１２ａの動作について図６を用いて説明する。
【００３５】
図６は図５と同様に本実施例の固定筒１２の展開図を示し、なお説明容易のため、移動カム環１１の静圧リブ１１ａ、固定筒１２のカム１２ｂ、静圧リブ１２ａの関係のみ示し、光軸方向に誇張した図としている。
【００３６】
図６（ａ）はカメラ電源ＯＦＦ状態（鏡筒沈胴待機状態）である。カメラの電源ＯＦＦ状態では移動カム環１１は鏡筒沈胴状態であるので、移動カム環１１の静圧リブ１１ａは光軸方向奥側にあり固定筒１２の静圧リブ１２ａと当接していない。
【００３７】
カメラの電源がＯＮされて図６（ａ）の状態からレンズ鏡筒が繰り出されると、移動カム環１１の静圧リブ１１ａは固定筒１２のカム溝１２ａのカム軌跡と同じ図中Ｄに示される軌跡で動作する。そしてカメラのワイド状態を示した図が図６（ｂ）である。
【００３８】
このとき、移動カム環１１の静圧リブ１１ａと固定筒１２の静圧リブ１２ａは図のＥの領域で係合し当接可能である。このとき前述のようにレンズ鏡筒に対して外力がかかってもＥ領域で外力をささえることが可能なため、鏡筒が破壊することはない。
【００３９】
さらに焦点距離が最もテレ側に回転した時の図が図６（ｃ）である。移動カム環１１の静圧リブ１１ａと固定筒１２の静圧リブ１２ａは図のＦの領域において前記図６（ｂ）と同様に係合し当接可能である。つまり、ワイド側と同じようにレンズ鏡筒に外力がかかってもＦ領域で外力をささえるため、鏡筒が破壊することはない。
【００４０】
図６（ａ）に示す移動カム環１１の静圧リブ１１ａの長さＬ１と固定筒１２の静圧リブ１２ａの長さＬ２の関係は本実施例においては
移動カム環１１の静圧リブ１１ａの長さ：Ｌ１＞固定筒１２の静圧リブ１２ａの長さ：Ｌ２
と構成している。この構成によって、カメラがワイドからテレの間の焦点距離であっても図６の（ｂ）〜（ｃ）の間の状態を保ちつつズームが可能になる。つまり、本実施例においてはカメラの撮影時のいかなる焦点距離であっても外力に対して強固な構造を提供することができる。
【００４１】
以上説明したように、本実施例では、静圧リブと撮影領域のカムを光軸視の回転方向に対して位相をずらして配置し、その上で固定筒に備えられるカム溝の撮影領域部と静圧リブが光軸に垂直な略同一平面上にあるように構成したので、レンズ鏡筒をより大きく繰り出すことができる。このため、高倍率が可能なレンズ鏡筒を構成することができる。さらに、移動カム環の静圧リブを固定筒の静圧リブよりも長く構成したので、カメラが電源ＯＮのいかなる状態であっても、外力に対して強固な構成を提供することが可能となる。つまり、本実施例によって高倍率に対応可能、あるいは小型化を行うことが可能で且つ外力に強いレンズ鏡筒を提供することが可能となる。
【００４２】
本発明は、上記した実施例に限定されることはなく、例えば、移動カム環にカム溝及び静圧リブを円周方向に位相をずらして配置し、固定筒にカムピン及び静圧リブを設けることができる。
【図面の簡単な説明】
【００４３】
【図１】本発明の実施例に係るカメラ概要の概要斜視図である。
【図２】本発明の実施例に係るレンズ鏡筒の中央断面図である。
【図３】本発明の実施例に係る移動カム環の外観斜視図である。
【図４】本発明の実施例に係る固定筒の外観斜視図である。
【図５】本発明の実施例に係る固定筒の展開図（ａ）、公知技術の固定筒の展開図（ｂ）である。
【図６】本発明の実施例に係る固定筒の展開図であり、電源ＯＦＦ時（ａ）、ワイド状態（ｂ）、テレ状態（ｃ）である。
【符号の説明】
【００４４】
１：カメラ本体
２：レンズ鏡筒
３：ストロボ窓
４：ファインダー窓
５：レリーズボタン
６：１群ユニット
７：２群ユニット
８：３群ユニット
９：ベース部材
１０：直進筒
１１：移動カム環、１１ａ：静圧リブ（本願の第１の突起部）、１１ｂ：駆動カムピン、１１ｃ：駆動ギア、１１ｄ：カム溝
１２：固定筒、１２ａ：静圧リブ（本願の第２の突起部）、１２ｂ：駆動カム溝
【図１】
2006106463.tif 000003
【図２】
2006106463.tif 000004
【図３】
2006106463.tif 000005
【図４】
2006106463.tif 000006
【図５】
2006106463.tif 000007
【図６】
2006106463.tif 000008